【手続補正書】
【提出日】平成16年7月6日(2004.7.6)
【手続補正１】
【補正対象書類名】明細書
【補正対象項目名】発明の名称
【補正方法】変更
【補正の内容】
【発明の名称】画像処理装置および画像処理装置の制御方法およびコンピュータが読み取り可能なプログラムを格納した記憶媒体およびプログラム
【手続補正２】
【補正対象書類名】明細書
【補正対象項目名】特許請求の範囲
【補正方法】変更
【補正の内容】
【特許請求の範囲】
【請求項１】
所定の画像処理を行う機器に対して着脱自在の画像記憶部に記憶された画像データを読み出して画像処理を行う画像処理装置であって、
前記画像記憶部中から選択される各画像データを分類する分類手段と、
前記分類手段により分類された分類毎に設定される印刷設定情報を前記画像記憶部に設定する画像印刷設定手段と、
を有することを特徴とする画像処理装置。
【請求項２】
前記分類手段は、前記画像データの特性によって分類することを特徴とする請求項１記載の画像処理装置。
【請求項３】
前記画像データの特性は、色特性であることを特徴とする請求項２記載の画像処理装置。
【請求項４】
前記画像印刷設定手段は、前記分類手段により分類された分類毎に複数の印刷設定情報を前記画像記憶部に設定することを特徴とする請求項１記載の画像処理装置。
【請求項５】
前記画像記憶部に記憶された各画像データを印刷する際に、印刷部に対する印刷設定を各画像データの分類毎に変更する第１の変更手段と、
前記第１の変更手段により変更された印刷設定に従い、印刷すべき画像データに所定の画像処理を施す第１の画像処理手段と、
を有することを特徴とする請求項１記載の画像処理装置。
【請求項６】
前記画像記憶部に記憶された各画像データを印刷する際に、印刷部に対する印刷設定を各画像データの記録情報毎に変更する第２の変更手段と、
前記第２の変更手段により変更された印刷設定に従い、印刷すべき画像データに所定の画像処理を施す第２の画像処理手段と、
を有することを特徴とする請求項１記載の画像処理装置。
【請求項７】
前記記録情報は、記録日時情報であることを特徴とする請求項６記載の画像処理装置。
【請求項８】
前記記録情報は、前記画像記憶部に記憶された画像データの撮影条件情報であることを特徴とする請求項６記載の画像処理装置。
【請求項９】
前記撮影条件情報は、撮影時における絞り値を含むことを特徴とする請求項８記載の画像処理装置。
【請求項１０】
前記第２の変更手段は、前記画像記憶部に記憶された撮影条件情報中の絞り値に従い印刷部に対するシャープネス特性を変更する印刷設定を行うことを特徴とする請求項６記載の画像処理装置。
【請求項１１】
前記所定の画像処理を行う機器は、デジタルカメラであることを特徴とする請求項１記載の画像処理装置。
【請求項１２】
前記所定の画像処理を行う機器は、プリンタであることを特徴とする請求項１記載の画像処理装置。
【請求項１３】
前記所定の画像処理を行う機器は、ホストコンピュータであることを特徴とする請求項１記載の画像処理装置。
【請求項１４】
前記画像記憶部に印刷設定情報が複数存在する場合に、該印刷設定情報毎の適応頻度をカウントする計数手段と、
前記計数手段によりカウントされる前記印刷設定情報毎の適応頻度に従いいずれかの設定情報を選択する選択手段と、
を有することを特徴とする請求項４記載の画像処理装置。
【請求項１５】
所定の画像処理を行う機器に対して着脱自在の画像記憶部に記憶された画像データを読み出して画像処理を行う画像処理装置の制御方法であって、
前記画像記憶部中から選択される各画像データを分類する分類ステップと、
前記分類ステップにより分類された分類毎に設定される印刷設定情報を前記画像記憶部に設定する画像印刷設定ステップと、
を有することを特徴とする画像処理装置の制御方法。
【請求項１６】
前記分類ステップは、前記画像データの特性によって分類することを特徴とする請求項１５記載の画像処理装置の制御方法。
【請求項１７】
前記画像データの特性は、色特性であることを特徴とする請求項１６記載の画像処理装置の制御方法。
【請求項１８】
前記画像印刷設定ステップは、前記分類ステップにより分類された分類毎に複数の印刷設定情報を前記画像記憶部に設定することを特徴とする請求項１５記載の画像処理装置の制御方法。
【請求項１９】
前記画像記憶部に記憶された各画像データを印刷する際に、印刷部に対する印刷設定を各画像データの分類毎に変更する第１の変更ステップと、
前記第１の変更ステップにより変更された印刷設定に従い、印刷すべき画像データに所定の画像処理を施す第１の画像処理ステップと、
を有することを特徴とする請求項１５記載の画像処理装置の制御方法。
【請求項２０】
前記画像記憶部に記憶された各画像データを印刷する際に、印刷部に対する印刷設定を各画像データの記録情報毎に変更する第２の変更ステップと、
前記第２の変更ステップにより変更された印刷設定に従い、印刷すべき画像データに所定の画像処理を施す第２の画像処理ステップと、
を有することを特徴とする請求項１５記載の画像処理装置の制御方法。
【請求項２１】
前記記録情報は、記録日時情報であることを特徴とする請求項２０記載の画像処理装置の制御方法。
【請求項２２】
前記記録情報は、前記画像記憶部に記憶された画像データの撮影条件情報であることを特徴とする請求項２０記載の画像処理装置の制御方法。
【請求項２３】
前記撮影条件情報は、撮影時における絞り値を含むことを特徴とする請求項２２記載の画像処理装置の制御方法。
【請求項２４】
前記第２の変更ステップは、前記画像記憶部に記憶された撮影条件情報中の絞り値に従い印刷部に対するシャープネス特性を変更する印刷設定を行うことを特徴とする請求項２０記載の画像処理装置の制御方法。
【請求項２５】
前記所定の画像処理を行う機器は、デジタルカメラであることを特徴とする請求項１５記載の画像処理装置の制御方法。
【請求項２６】
前記所定の画像処理を行う機器は、プリンタであることを特徴とする請求項１５記載の画像処理装置の制御方法。
【請求項２７】
前記所定の画像処理を行う機器は、ホストコンピュータであることを特徴とする請求項１５記載の画像処理装置の制御方法。
【請求項２８】
前記画像記憶部に印刷設定情報が複数存在する場合に、該印刷設定情報毎の適応頻度をカウントする計数ステップと、前記計数ステップによりカウントされる前記印刷設定情報毎の適応頻度に従いいずれかの設定情報を選択する選択ステップと、を有することを特徴とする請求項２０記載の画像処理装置の制御方法。
【請求項２９】
請求項１５〜２８のいずれかに記載の画像処理装置の制御方法を実行させるためのプログラムを格納したことを特徴とするコンピュータが読み取り可能な記憶媒体。
【請求項３０】
請求項１５〜２８のいずれかに記載の画像処理装置の制御方法を実行させることを特徴とするプログラム。
【手続補正３】
【補正対象書類名】明細書
【補正対象項目名】０００１
【補正方法】変更
【補正の内容】
【０００１】
【発明の属する技術分野】
本発明は、所定の画像処理を行う機器に対して着脱自在の画像記憶部に記憶された画像データを読み出して画像処理を行う画像処理装置および画像処理装置の制御方法およびコンピュータが読み取り可能なプログラムを格納した記憶媒体およびプログラムに関するものである。
【手続補正４】
【補正対象書類名】明細書
【補正対象項目名】０００７
【補正方法】変更
【補正の内容】
【０００７】
本発明は、上記の問題点を解決するためになされたもので、本発明の第１の目的は、所定の画像処理を行う機器に対して着脱自在の画像記憶部に記録された画像データを読み出して画像処理を行う画像処理装置において、画像記憶部中から選択される各画像データを分類し、該分類された分類毎に設定される印刷設定情報を画像記憶部に設定することにより、画像記録部に記録された画像データの特性に着目した分類毎に最適な印刷条件を設定情報として一元管理でき、画像記憶部に記録された各画像データに対するユーザによる煩雑な印刷条件設定操作負担を軽減して、利便性に優れた印刷処理を実現できる画像処理装置および画像処理装置の制御方法およびコンピュータが読み取り可能なプログラムを格納した記憶媒体およびプログラムを提供することである。
【手続補正５】
【補正対象書類名】明細書
【補正対象項目名】０００８
【補正方法】変更
【補正の内容】
【０００８】
さらに、第２の目的は、所定の画像処理を行う機器に対して着脱自在の画像記憶部に記録された画像データを読み出して画像処理を行う画像処理装置において、画像記憶部に記憶された各画像データの記録情報を解析して各画像データに対する印刷条件を変更設定して特定の画像処理を実行することにより、画像記憶部に記録された画像データの記録情報に最適な印刷条件を自動設定して、画像記憶部に記録された各画像データに対するユーザによる煩雑な印刷条件設定操作負担を軽減して、利便性に優れた印刷処理を実現できる画像処理装置および画像処理装置の制御方法およびコンピュータが読み取り可能なプログラムを格納した記憶媒体およびプログラムを提供することである。
【手続補正６】
【補正対象書類名】明細書
【補正対象項目名】００３６
【補正方法】変更
【補正の内容】
【００３６】
本発明に係る第２８の発明は、前記画像記憶部に印刷設定情報が複数存在する場合に、該印刷設定情報毎の適応頻度をカウントする計数ステップ（図１１に示すステップＳ１１−４）と、前記計数ステップによりカウントされる前記印刷設定情報毎の適応頻度に従いいずれかの設定情報を選択する選択ステップ（図１１に示すステップＳ１１−３）とを有するものである。
本発明に係る第２９の発明は、第１５〜第２８の発明の画像処理装置の制御方法を実行させるためのプログラムをコンピュータが読み取り可能な記憶媒体に格納したものである。
本発明に係る第３０の発明は、第１５〜第２８の発明の画像処理装置の制御方法を実行させるプログラムである。
【手続補正７】
【補正対象書類名】明細書
【補正対象項目名】０１６１
【補正方法】変更
【補正の内容】
【０１６１】
【発明の効果】
以上説明したように、本発明によれば、所定の画像処理を行う機器に対して着脱自在の画像記憶部に記録された画像データを読み出して画像処理を行う画像処理装置において、画像記憶部中から選択される各画像データを分類し、該分類された分類毎に設定される印刷設定情報を画像記憶部に設定するので、画像記録部に記録された画像データの特性に着目した分類毎に最適な印刷条件を設定情報として一元管理でき、画像記憶部に記録された各画像データに対するユーザによる煩雑な印刷条件設定操作負担を軽減して、利便性に優れた印刷処理を実現できる。